(57)【要約】【課題】移動体通信システムの通信端末において通信可能状態の確保に要する消費電力を削減する。【解決手段】移動体通信システムを、周辺に電波環境が悪いエリアが有ることを示す周囲電波環境情報を通信端末に通知する手段を有する基地局と、前記基地局をサービングセルとした際に、前記基地局から周囲電波環境情報を受け取る手段と、該周囲電波環境情報に基づいてセルサーチ頻度を調整する手段を有する通信端末とを用いて構築する。【選択図】図１
2013168727.tif 000002
【特許請求の範囲】
【請求項１】
周辺に電波環境が悪いエリアが有ることを示す周囲電波環境情報を通信端末に通知する手段を有する基地局と、
前記基地局をサービングセルとした際に、前記基地局から周囲電波環境情報を受け取る手段と、該周囲電波環境情報に基づいてセルサーチ頻度を調整する手段を有する通信端末と、
を含み成る ことを特徴とする移動体通信システム。
【請求項２】
前記基地局に通信端末に通知する周囲電波環境情報をセットする際に、通信端末を介して収集された周囲の電波環境に基づいて、周囲電波環境情報の内容を定めてセットする ことを特徴とする請求項１記載の移動体通信システム。
【請求項３】
前記基地局への周囲電波環境情報のセットを、周囲の電波環境を受け付けたデータセンタが行なう ことを特徴とする請求項２記載の移動体通信システム。
【請求項４】
前記基地局は、周囲電波環境情報として、所定の基地局が提供するセル内に、通信環境が悪いと認めたエリア、時間帯、通信方式が存在することを、通信端末に通知して、
前記通信端末は、前記基地局と接続した際に、周囲電波環境情報を受け付けて、該周囲電波環境情報に基づいてセルサーチ頻度を調整する
ことを特徴とする請求項１ないし３の何れか一項に記載の移動体通信システム。
【請求項５】
前記基地局は、周囲電波環境情報をセル毎及び／又は通信方式毎に提供する ことを特徴とする請求項１ないし４の何れか一項に記載の移動体通信システム。
【請求項６】
前記基地局は、周囲電波環境情報を前記所定の基地局位置に対する通信環境が悪いエリアの方向を特定できる内容を含ませて提供する ことを特徴とする請求項１ないし５の何れか一項に記載の移動体通信システム。
【請求項７】
サービスエリアの端部となるセルを前記基地局に構築させて、前記通信端末に移動体通信サービスを提供する ことを特徴とする請求項１記載の移動体通信システム。
【請求項８】
セルを提供して通信端末と接続する基地局であって、
予め、自局の提供するセルに存在する電波環境状態を示す周囲電波環境情報を、自局をサービングセルとする通信端末に通知する電波環境通知手段を有する ことを特徴とする移動体通信網を構築する基地局装置。
【請求項９】
移動体通信網のセルを提供すると共に周辺に電波環境が悪いエリアが有ることを示す周囲電波環境情報を通知する基地局と接続できる通信端末であって、
前記基地局をサービングセルとした際に、前記基地局から周囲電波環境情報を受け取る手段と、
該周囲電波環境情報に基づいてセルサーチ頻度を調整するサーチ頻度管理手段と
を有する ことを特徴とする通信端末装置。
【請求項１０】
基地局から周辺に電波環境が悪いエリアが有ることを示す周囲電波環境情報を接続してきた通信端末に通知し、
前記基地局をサービングセルとした通信端末が、前記基地局から周囲電波環境情報を受け取り、
前記通信端末は、該周囲電波環境情報に基づいてセルサーチ頻度を減ずるように調整する
ことを特徴とするセルサーチ制御方法。
【発明の詳細な説明】
【技術分野】
【０００１】
本発明は、移動体通信システムに関し、詳しくは、移動局たる通信端末でのセルサーチの頻度を管理する移動体通信システムのシステム制御方法に関する。
【背景技術】
【０００２】
移動体通信システムで用いられている通信端末は、基地局の構築するセルを検出するセルサーチを行っている。通信端末は、セルサーチを実行することで通信を行うセルを識別し、その結果を用いて所要の基地局との接続を行なう。
【０００３】
一般に通信端末は、基地局と接続した状態に於いて、通信品質がある一定以上に劣化するとセルサーチを行い新たな接続先（セル）を探索するように構成されている。
【０００４】
ここでの通信端末がセルサーチを行なう頻度がさまざまな問題を起こす。サーチ頻度が多いと通信端末のバッテリ消費を加速する問題が一つの問題とされており、また、サーチ間隔が長いと電波環境の維持に問題を生ずる可能性が高まる。
【０００５】
セルサーチに関連する技術としては、例えば、特許文献１や特許文献２が挙げられる。
【０００６】
特許文献１には、基地局と移動局との間の通信状態が良好なときに、アイドル時の通信端末のセルサーチを行う頻度を調整して端末のバッテリ消費を抑える移動体通信システムが開示されている。特許文献１に記載された移動体通信システムでは、通信端末は、サービングセルの電波環境と共に、周辺基地局から得られる位置情報（基地局情報）と現在時刻を用いて、サービングセルの基地局との間の通信状態の次回サーチ時との変化量を推定して、その識別結果に基づいてセルサーチの間欠動作の制御を行っている。ここでの通信状態の変化量は、現在時刻、現在位置、移動距離、電界強度から移動局が過去の情報から推定している。
【０００７】
また、特許文献２には、アイドル時の通信端末のセルサーチに関して、マクロセルやピコセルなどのセル間のオーバレイ関係を識別して、オーバレイしていないセルを優先して選択してレジストレーションを行うことにより、セルのリセレクションを低減して、端末のバッテリ消費を抑える移動体通信システムが開示されている。
【０００８】
また、移動体通信システムのセルサーチ等の関連する標準技術は非特許文献１に記載されている。特許文献１および２にもセルサーチに関連する技術について説明がなされている。
【先行技術文献】
【特許文献】
【０００９】
【特許文献１】特開２００８−１４７７７８号公報
【特許文献２】特開２０１０−１６６２３１号公報
【非特許文献】
【００１０】
【非特許文献１】３ＧＰＰ  ＴＳ  ２５．３３１（RRC Protocol Specification）
【発明の概要】
【発明が解決しようとする課題】
【００１１】
多くの通信端末は、アイドル状態でサービングセルと接続した状態に於いて、サービングセルの通信品質がある一定以上に劣化すると接続先を探索するためにセルサーチを行うように構成されている。また、セルサーチに失敗すると共に、加えて接続中の基地局（サービングセル）との接続が途切れると、セルサーチの動作を成功するまで繰り返し行なうように構成されている。  
このセルサーチの動作を成功するまで繰り返し行なう動作は、通信端末の消費電力の上昇を招くと云う課題に繋がる。これは、例えば山などの電波状況の悪いエリアに於いてセルサーチなどが失敗した場合でも、セルサーチをそのままの頻度で成功するまで繰り返す問題に起因しているとも云える。
【００１２】
なお、上記特許文献１や特許文献２に記載された技術では、サービングセルとの接続できている通信端末における省電力化について解決を図っているものの、サービングセルとの接続までも失われている場合についての対策とはならない。また、サービングセルと接続中に他の基地局のセルのセルサーチを失敗した際に対することは何ら考慮されていない。
【００１３】
移動体通信システムが提供する通信サービスエリア端などのエリアでは、接続中の基地局以外の基地局が通信可能圏にいない電波状況もありえ、このような環境下でのサービングセルとの接続を失った際の通信端末での省電力化を課題となる。
【００１４】
本発明は、上記課題に鑑みて成されたものであり、電波状況の悪いエリアに於いて、セルサーチが失敗した場合に、通信端末の消費電力を抑える移動体通信システムおよびセルサーチ制御方法を提供することにある。
【課題を解決するための手段】
【００１５】
本発明に係る移動体通信システムは、周辺に電波環境が悪いエリアが有ることを示す周囲電波環境情報を通信端末に通知する手段を有する基地局と、前記基地局をサービングセルとした際に、前記基地局から周囲電波環境情報を受け取る手段と、該周囲電波環境情報に基づいてセルサーチ頻度を調整する手段を有する通信端末とを含み成ることを特徴とする。
【００１６】
本発明に係る基地局装置は、セルを提供して通信端末と接続する基地局であって、予め、自局の提供するセルに存在する電波環境状態を示す周囲電波環境情報を、自局をサービングセルとする通信端末に通知する電波環境通知手段を有する ことを特徴とする。
【００１７】
本発明に係る通信端末装置は、移動体通信網のセルを提供すると共に周辺に電波環境が悪いエリアが有ることを示す周囲電波環境情報を通知する基地局と接続できる通信端末であって、前記基地局をサービングセルとした際に、前記基地局から周囲電波環境情報を受け取る手段と、該周囲電波環境情報に基づいてセルサーチ頻度を調整するサーチ頻度管理手段とを有する ことを特徴とする。
【００１８】
本発明に係るセルサーチ制御方法は、基地局から周辺に電波環境が悪いエリアが有ることを示す周囲電波環境情報を接続してきた通信端末に通知し、前記基地局をサービングセルとした通信端末が、前記基地局から周囲電波環境情報を受け取り、前記通信端末は、該周囲電波環境情報に基づいてセルサーチ頻度を減ずるように調整する ことを特徴とする。
【発明の効果】
【００１９】
本発明によれば、電波状況の悪いエリアに於いて、セルサーチが失敗した場合に、通信端末の消費電力を抑える移動体通信システムおよびセルサーチ制御方法を提供できる。
【図面の簡単な説明】
【００２０】
【図１】実施の一形態の移動体通信システム１を示す説明図である。
【図２】通信端末２０のセルサーチに係る処理動作例を示すフローチャートである。
【発明を実施するための形態】
【００２１】
本発明の実施の形態を図１および図２に基づいて説明する。以下に実施の形態を図示して説明するが、そのブロック構成の分離併合、手順の入れ替えなどの変更は本発明の趣旨および説明される機能を満たせば自由である。
【００２２】
本発明では、基地局に、周辺にサービスエリア外などの電波環境の悪いエリアが有ることを示す周囲電波環境情報を通信端末に通知する手段を付与すると共に、通信端末側で周囲電波環境情報を使用してセルサーチ頻度を調整する。
【００２３】
本説明でのセルサーチとは、通信端末が周辺のセルを検出するための動作であって、セルのタイミングを取得して基地局情報を取得するまでの動作を意図して用いる。また、全波サーチも含めてセルサーチと呼ぶ。
【００２４】
図１は、実施の一形態の移動体通信システム１の構成を示す説明図である。なお、コアネットワークや通話に関する通信などの説明は省略する。
【００２５】
図１には、本発明に係る基地局１０および通信端末２０が記載されている。  
図示するように、基地局１０は、通信端末と通信するための送受信手段１１に加え、電波環境通知手段１２を有する。
【００２６】
送受信手段１１は、一般的に用いられている周知の送受信手段（報知チャネルや個別チャネルを用いる通信手段）である。
【００２７】
電波環境通知手段１２は、周囲電波環境情報を保持している場合には、接続してくる通信端末２０に自局の周囲電波環境情報を通知する。図中では、基地局１０Ａには周囲電波環境情報がセットされておらず、基地局１０Ｂには周囲電波環境情報がセットされている。なお、周囲電波環境情報がセットされていない場合は、既存の基地局と同様に動作する。
【００２８】
電波環境通知手段１２に周囲電波環境情報をセットすることは、管理者が行えばよい。また後述するように移動体通信システムとして自動的にセットされるように構成してもよい。
【００２９】
周囲電波環境情報は、周辺に電波環境の悪い環境が有る基地局に対して付加される。電波環境の悪いとは、自局が提供するセル内に、通信環境が悪いと認めたエリアや、時間帯、通信方式があることを指す。周囲電波環境情報では、周辺に電波環境の悪い環境が有る事を目印として通信端末に提供する。  
より具体的に限定すれば、自局の周囲にサービスエリア外が存在することを示す情報とする。また、自局に対するサービスエリア外の存在する方向の情報を加えてもよい。
【００３０】
通信端末２０は、基地局と通信するための送受信手段２１およびセルサーチ手段２２に加え、サーチ頻度管理手段２３を有する。  
送受信手段２１およびセルサーチ手段２２は、一般的に用いられている技術を用いて構築すればよい。
【００３１】
サーチ頻度管理手段２３は、送受信手段２１を介して接続先である基地局１０（サービングセルの基地局）から取得した周囲電波環境情報を一次記憶装置また主記憶装置に保持すると共に、周囲電波環境情報の有無を判別して、周囲電波環境情報が有る場合には、セルサーチ手段２２を制御してサーチ頻度を下げるように設定を行う。  
サーチ頻度管理手段２３は、通信端末内に、専用回路またはＤＳＰまたはＣＰＵ等のいずれか又は複合的に用いて、ハードウェア又はハードウェアとソフトウェアの組み合わせで実現すればよい。
【００３２】
サーチ頻度管理手段２３は、基地局１０と接続した際または接続中に、基地局１０から周囲電波環境情報の通知を受け付け、以下のように動作する。
【００３３】
サーチ頻度管理手段２３は、通信端末２０を、周囲電波環境情報を受信後、他の基地局と接続する前にセルサーチが失敗した場合、接続中の通信品質が悪化した状態であっても、セルサーチを通常の頻度では行わず、頻度を下げるように動作させる。  
これにより、通信品質の悪いエリアに於いて消費電力を抑える。
【００３４】
また、サーチ頻度管理手段２３は、通信端末２０を、周囲電波環境情報を受信後、他の基地局と接続する前にセルサーチが失敗しさらに基地局との通信が途切れた場合、セルサーチの頻度を下げるように動作させる。    
これにより、電波環境の悪いエリアに於いて消費電力を抑える。
【００３５】
基地局１０と通信端末２０との間で周囲電波環境情報を受け渡す手段は、既存のチャネルに周囲電波環境情報を含ませるようにしてもよいし、専用のチャネルを設けてもよい。また、一般のデータとして基地局１０から通信端末２０に通知してもよい。例えば、ブロードキャストチャネルや個別チャネルを用いればよい。  
また、通信方式毎に周囲電波環境情報の通知を行えるようにしてもよい。この際に、所定の通信方式によって、他の通信方式の周囲電波環境に関する内容を合わせて通知しあうようにしてもよい。
【００３６】
次に、通信端末２０でのセルサーチに係る処理動作について動作例を示して説明する。
図２は、通信端末２０のセルサーチに係る処理動作例を示すフローチャートである。以下の番号はフローチャートの番号に対応する。
【００３７】
まず、通信端末２０は、セルサーチ手段２１を用いてセルサーチを行い、既存動作と同様に接続する基地局（サービングセル）を定める。
【００３８】
１１．通信端末２０は、基地局１０Bの提供セルが適する際に、セルサーチ結果に基づき、周囲電波環境情報を提供する基地局１０Bと接続する。
【００３９】
１２．通信端末２０は、接続した基地局１０Bから周囲電波環境情報を受け付けて、サーチ頻度管理手段２３で管理する。なお、この時点でのセルサーチ頻度は通常であり、提供されている通信サービスが利用である。通信端末２０は、通常頻度でセルサーチを行ないながら、既存動作と同様に動作してユーザに通信環境を提供する。
【００４０】
１３．通信端末２０は、他の基地局と接続をすること無く、セルサーチが失敗を検知した場合、又は他の基地局との接続すること無く、基地局１０Bとの接続が切れたことを検知した場合、サーチ頻度管理手段２３の管理に基づいてセルサーチの頻度を低く設定し、その後、低い頻度でのセルサーチを継続する。セルサーチの頻度は、セルサーチが成功するまで低減される。この際に、何れとも接続していない場合は何れかの基地局と接続が成功するまで継続することとして、他の基地局との接続に係る部分の失敗であればその基地局のセルサーチが成功するまで継続すればよい。
【００４１】
１４．通信端末２０は、セルサーチの成功を検知した場合（基地局１０Ｂと再接続が成功した段階や失敗したセルでの成功）、サーチ頻度管理手段２３の管理により、セルサーチを通常の頻度で行うように設定する。なお、この際、周囲電波環境情報を一度廃棄して基地局１０Ｂから新たに周囲電波環境情報を受けてもよいし、有している周囲電波環境情報をそのまま使用してもよい。また、周囲電波環境情報に生存時間を設定するようにしてもよい。
【００４２】
２１．一方、通信端末２０は、適宜、セルサーチ結果に基づいて、所要に他の基地局と接続する。セル移動の処理は既存の動作と同様に行う。
【００４３】
２２．通信端末２０は、周囲電波環境情報を保持している際には、他の基地局と接続成功した段階で、保持している周囲電波環境情報を破棄する。接続先の基地局が周囲電波環境情報を提供している際には、その基地局からの周囲電波環境情報を受け付ける。なお、セルサーチ頻度を低減していた場合では、サーチ頻度管理手段２３は、接続や周囲電波環境情報の破棄に合わせて通常の頻度に設定する。
【００４４】
３１．他方、通信端末２０は、セルサーチ結果に基づき、周囲電波環境情報を提供していない基地局１０Ａと接続する。この時点でのセルサーチ頻度は通常であり、一般的な通信サービスが利用できる。
【００４５】
３２．通信端末２０は、セルサーチが失敗した場合などでも、既存の動作と同様に、セルサーチの頻度を低減せずに、通常の頻度でセルサーチを行う。この際、通信端末２０（サーチ頻度管理手段２３）は、周囲電波環境情報を保持していないので、セルサーチ頻度の調整を行わない。
【００４６】
このような動作によって、セルサーチ頻度を所定条件化で低減することで通信端末２０の省電力化を図る。
【００４７】
次に、移動体通信システム１として、周囲電波環境情報を基地局１０の電波環境通知手段１２に自動的にセットする処理を説明する。
【００４８】
基地局１０毎またはセル毎にＩＤを与え管理すると共に、基地局１０に、通信端末２０と基地局１０が接続した際に、このＩＤを通信端末２０へ送信する通信環境収集手段を設ける。なお、ＩＤの送信と共に、周囲電波環境情報がセットされていれば、電波環境通知手段１２によって通信端末２０に周囲電波環境情報を通知する。
【００４９】
通信端末２０は、次の基地局１０と接続する前に、セルサーチが失敗して更に基地局１０との接続が切れた場合、その基地局１０のＩＤを保存しておき、次にセルサーチが成功して通信が行えるようになった際に、保存していた基地局のＩＤを周囲電波環境の報告情報として接続している基地局１０の通信環境収集手段に通知して、直接又は間接的にＩＤの示す該当基地局１０に通知する。なお、通信端末２０は、様々な事象を収集して送ることとしてもよいが単純にＩＤのみやＩＤと時間、ＩＤと時間と位置の程度の情報を送ることとすればよい。
【００５０】
基地局１０の通信環境収集手段は、自局に対する報告情報であれば、周囲電波環境情報に反映させ、自局以外に対する報告情報であればデータセンタや該当基地局に通知する。この際、データセンタや該当基地局は、収集できた周囲電波環境を所要に修正して、通信端末２０に提供できるように修正した後に、該当基地局１０に周囲電波環境情報としてセットする。  
これにより、自動的（システム的）に周囲の電波状況が悪い基地局の特定が可能となる。
【００５１】
また、この際に、問題のエリアの存在する自局に対する方向の情報を関連付けてもよい。このようにすれば、通信端末側でＧＰＳなどの位置センサーから取得した情報とを組み合わせることで、本来サーチ頻度を下げる必要の無いエリアで、サーチ頻度を下げないように運用できる。また、セル内の特定のエリアでサーチ頻度をより下げるようにも運用できる。
【００５２】
また、周囲電波環境情報を通信方式（２Ｇ、３Ｇ、ＬＴＥ、など）毎に通知するとなお良い。このようにすれば、複数の通信方式に対応する通信端末に対して、通信方式毎にそれぞれ周囲電波環境情報を利用できる。なお、何れかの通信方式のチャネルに複数の通信方式に関する周囲電波環境に関する内容を入れ込むようにしてもよい。これによって周囲電波環境情報を埋め込むチャネルが無い場合や、特定の通信方式に関する問題を避けて、通信端末で省電力化を図れる。
【００５３】
また、通信端末（サーチ頻度管理手段）では、周囲電波環境情報を保持して通常よりも低い頻度でセルサーチを継続している際に、セルサーチの連続失敗回数が所定回数を超えた場合に、セルサーチ頻度をさらに空けるように動作させてもよい。このようにすれば、意味を成せないセルサーチをより少なくできる。
【００５４】
以上説明したように、本発明を適用した移動体通信システムは、電波状況の悪いエリアに於いて、セルサーチが失敗した場合に、通信端末の消費電力を抑えることが可能になる。
【００５５】
また、本発明は、移動体通信システムの基地局および通信端末に多大な変更点を加えることなく適用でき、既存の設備との親和性も十分に有する。また、通信端末の消費電力を新たに増加させること無く特定条件化での省電力を可能にできる。
【００５６】
例えば、山などの電波状況の悪い環境に携帯電話端末を持ち込んだ際に、上記の様に端末のセルサーチ頻度を下げることにより、周囲に通信可能なセルが存在しない環境にも関わらず 通信可能なセルの検出を繰り返し試みるセル検出動作で使用する電力を削減できる。  
また、移動体通信設備として、サービスエリアの端部となるセルを上記基地局で構築することによって、効率的に、対応した通信端末に対して省電力化が図れた移動体通信サービスを提供できる。
【００５７】
尚、基地局１０および通信端末２０の各部は、ハードウェアとして構築してもよいし、ハードウェアとソフトウェアの組み合わせを用いて実現してもよい。ハードウェアとソフトウェアとを組み合わせた形態では、ＲＡＭに該当プログラムが展開され、プログラムに基づいて制御部（ＣＰＵ）等のハードウェアを動作させることによって、各部を各種手段として実現する。
【００５８】
また、本発明の具体的な構成は前述の実施の形態に限られるものではなく、この発明の要旨を逸脱しない範囲の変更があってもこの発明に含まれる。
【００５９】
また、上記の実施形態の一部又は全部は、以下のようにも記載されうる。尚、以下の付記は本発明をなんら限定するものではない。  
［付記１］
周辺に電波環境が悪いエリアが有ることを示す周囲電波環境情報を通信端末に通知する手段を有する基地局と、
前記基地局をサービングセルとした際に、前記基地局から周囲電波環境情報を受け取る手段と、該周囲電波環境情報に基づいてセルサーチ頻度を調整する手段を有する通信端末と、
を含み成る ことを特徴とする移動体通信システム。
【００６０】
［付記２］
前記基地局に通信端末に通知する周囲電波環境情報をセットする際に、通信端末を介して収集された周囲の電波環境に基づいて、周囲電波環境情報の内容を定めてセットする ことを特徴とする上記付記記載の移動体通信システム。
【００６１】
［付記３］
前記基地局への周囲電波環境情報のセットを、周囲の電波環境を受け付けたデータセンタが行なう ことを特徴とする上記付記記載の移動体通信システム。
【００６２】
［付記４］
前記基地局は、周囲電波環境情報として、所定の基地局が提供するセル内に、通信環境が悪いと認めたエリア、時間帯、通信方式が存在することを、通信端末に通知して、
前記通信端末は、前記基地局と接続した際に、周囲電波環境情報を受け付けて、該周囲電波環境情報に基づいてセルサーチ頻度を調整する
ことを特徴とする上記付記記載の移動体通信システム。
【００６３】
［付記５］
前記基地局は、周囲電波環境情報をセル毎及び／又は通信方式毎に提供する ことを特徴とする上記付記記載の移動体通信システム。
【００６４】
［付記６］
前記基地局は、周囲電波環境情報を前記所定の基地局位置に対する通信環境が悪いエリアの方向を特定できる内容を含ませて提供する ことを特徴とする上記付記記載の移動体通信システム。
【００６５】
［付記７］
サービスエリアの端部となるセルを前記基地局に構築させて、前記通信端末に移動体通信サービスを提供する ことを特徴とする上記付記記載の移動体通信システム。
【００６６】
［付記８］
セルを提供して通信端末と接続する基地局であって、
予め、自局の提供するセルに存在する電波環境状態を示す周囲電波環境情報を、自局をサービングセルとする通信端末に通知する電波環境通知手段を有する ことを特徴とする移動体通信網を構築する基地局装置。
【００６７】
［付記９］
前記周囲電波環境情報は、周囲に電波状況の悪いエリアがあると云う事を示すための目印となる情報であり、
自局をサービングセルとした通信端末に該周囲電波環境情報を通知する
ことを特徴とする上記付記記載の基地局装置。
【００６８】
［付記１０］
通信端末に通知する周囲電波環境情報の内容を定める際に、通信端末を介して収集された周囲の電波環境に基づいて、内容を定める ことを特徴とする上記付記記載の基地局装置。
【００６９】
［付記１１］
周囲電波環境情報として、所定の基地局が提供するセル内に、通信環境が悪いと認めたエリア、時間帯、通信方式が存在することを、通信端末に通知する ことを特徴とする上記付記記載の基地局装置。
【００７０】
［付記１２］
周囲電波環境情報をセル毎及び／又は通信方式毎に提供する ことを特徴とする上記付記記載の基地局装置。
【００７１】
［付記１３］
周囲電波環境情報を前記自局位置に対する通信環境が悪いエリアの方向を特定できる内容を含ませて提供する ことを特徴とする上記付記記載の基地局装置。
【００７２】
［付記１４］
移動体通信網を介して接続している他の基地局装置またはデータセンタに対して、接続した通信端末から受け取った電波環境に関する報告情報を通知することを特徴とする上記付記記載の基地局装置。
【００７３】
［付記１５］
移動体通信網のセルを提供すると共に周辺に電波環境が悪いエリアが有ることを示す周囲電波環境情報を通知する基地局と接続できる通信端末であって、
前記基地局をサービングセルとした際に、前記基地局から周囲電波環境情報を受け取る手段と、
該周囲電波環境情報に基づいてセルサーチ頻度を調整するサーチ頻度管理手段と
を有する ことを特徴とする通信端末装置。
【００７４】
［付記１６］
前記サーチ頻度管理手段は、自端末装置を、周囲電波環境情報を受信後であって、他の基地局と接続する前にセルサーチが失敗した際に、接続中のサービングセルの通信品質が悪化した状態であっても、セルサーチを通常の頻度では行わずに頻度を下げるように動作させる ことを特徴とする上記付記記載の通信端末装置。
【００７５】
［付記１７］
前記サーチ頻度管理手段は、自端末装置を、周囲電波環境情報を受信後であって、他の基地局と接続する前にセルサーチが失敗した場合に、さらに接続中の基地局との通信が途切れた際に、セルサーチの頻度を下げるように動作させる ことを特徴とする上記付記記載の通信端末装置。
【００７６】
［付記１８］
基地局から周辺に電波環境が悪いエリアが有ることを示す周囲電波環境情報を接続してきた通信端末に通知し、
前記基地局をサービングセルとした通信端末が、前記基地局から周囲電波環境情報を受け取り、
前記通信端末は、該周囲電波環境情報に基づいてセルサーチ頻度を減ずるように調整する
ことを特徴とするセルサーチ制御方法。
【００７７】
［付記１９］
前記基地局に通信端末に通知する周囲電波環境情報をセットする際に、通信端末を介して収集された周囲の電波環境に基づいて、周囲電波環境情報の内容を定めてセットして、
セットされた周囲電波環境情報を接続してきた通信端末に提供し、
接続してきた通信端末がセルサーチを調整する
ことを特徴とする上記付記記載のセルサーチ制御方法。
【００７８】
［付記２０］
前記基地局への周囲電波環境情報のセットを、周囲の電波環境を受け付けたデータセンタが行なう ことを特徴とする上記付記記載のセルサーチ制御方法。
【００７９】
［付記２１］
前記基地局は、周囲電波環境情報として、所定の基地局が提供するセル内に、通信環境が悪いと認めたエリア、時間帯、通信方式が存在することを、通信端末に通知して、
前記通信端末は、前記基地局と接続した際に、周囲電波環境情報を受け付けて、該周囲電波環境情報に基づいてセルサーチ頻度を調整する
ことを特徴とする上記付記記載のセルサーチ制御方法。
【００８０】
［付記２２］
前記通信端末は、周囲電波環境情報を前記基地局から受け取り、該周囲電波環境情報に基づいて行うセルサーチ頻度の調整を、
他の基地局と接続する前にセルサーチが失敗した際に、接続中のサービングセルの通信品質が悪化した状態であっても、セルサーチを通常の頻度では行わずに頻度を下げるように動作させる
ことを特徴とする上記付記記載のセルサーチ制御方法。
【００８１】
［付記２３］
前記通信端末は、周囲電波環境情報を前記基地局から受け取り、該周囲電波環境情報に基づいて行うセルサーチ頻度の調整を、
他の基地局と接続する前にセルサーチが失敗した場合に、さらに接続中の基地局との通信が途切れた際に、セルサーチの頻度を下げるように動作させる
ことを特徴とする上記付記記載のセルサーチ制御方法。
【産業上の利用可能性】
【００８２】
本発明は、移動体通信システムのサービスエリア端となるセルを提供する基地局への適用が好適である。
【符号の説明】
【００８３】
１    移動体通信システム
１０  基地局
１１  送受信手段
１２  電波環境通知手段
２０  通信端末
２１  送受信手段
２２  セルサーチ手段
２３  サーチ頻度管理手段
【図１】
2013168727.tif 000003
【図２】
2013168727.tif 000004